Podtech/llm-jp-corpus-v4-ja_patent huggingface dataset:
(57)【特許請求の範囲】
【請求項１】
５−メチル−２−ヘキサノンを含有し、金又はレニウムの塩素錯体水溶液から金又はレニウムの塩素錯体を抽出するために用いられることを特徴とする金属用抽出剤。
【請求項２】
金又はレニウムの塩素錯体水溶液から金又はレニウムの塩素錯体を５−メチル−２−ヘキサノンを有効成分とする抽出溶媒により抽出することを特徴とする抽出方法。
【発明の詳細な説明】
【技術分野】
【０００１】
本発明は、金属用抽出剤及びそれを用いる抽出方法に関する。
【背景技術】
【０００２】
従来、５−メチル−２−ヘキサノン（慣用名として、イソアミルメチルケトン又はメチルイソアミルケトン（ＭＩＡＫ））は、インキ、ペースト、塗料、レジスト等の溶媒としての用途が知られている（例えば、特許文献１参照）。
【先行技術文献】
【特許文献】
【０００３】
【特許文献１】特開２００５−１２０３８９号公報
【発明の概要】
【発明が解決しようとする課題】
【０００４】
しかしながら、５−メチル−２−ヘキサノンは、第２石油類に分類され、保管できる指定数量も第１石油類の２００リットルに比較して１０００リットルと大きいので、前記溶媒としての用途以外に新たな用途の開発が望まれる。
【０００５】
本発明は、かかる事情に鑑み、５−メチル−２−ヘキサノンの新たな用途を提供することを目的とする。
【課題を解決するための手段】
【０００６】
本発明者らは、５−メチル−２−ヘキサノンの新たな用途について鋭意検討した結果、塩素錯体又はフッ素錯体を形成し得る金属の該塩素錯体水溶液又は該フッ素錯体水溶液から該金属の塩素錯体又はフッ素錯体を抽出する金属用抽出剤として有用であることを見いだし本発明に到達した。
【０００７】
そこで、本発明の金属用抽出剤は、５−メチル−２−ヘキサノンを含有し、金又はレニウムの塩素錯体水溶液から金又はレニウムの塩素錯体を抽出するために用いられることを特徴とする。
【０００８】
本発明によれば、５−メチル−２−ヘキサノンを含有する金属用抽出剤を、金又はレニウムの塩素錯体水溶液に添加することにより、該水溶液から金又はレニウムの塩素錯体を抽出することができる。
【０００９】
また、本発明の抽出方法は、金又はレニウムの塩素錯体水溶液から金又はレニウムの塩素錯体を５−メチル−２−ヘキサノンを有効成分とする抽出溶媒により抽出することを特徴とする。
【図面の簡単な説明】
【００１０】
【図１】本発明の金属用抽出剤による金又はレニウムの抽出工程を示すフローチャート。
【図２】本発明の金属用抽出剤による塩素イオン濃度に対する金の抽出率を示すグラフ。
【図３】本発明の金属用抽出剤による塩素イオン濃度に対するレニウムの抽出率を示すグラフ。
【発明を実施するための形態】
【００１１】
次に、添付の図面を参照しながら本発明の実施の形態についてさらに詳しく説明する。
【００１２】
本実施形態の金属抽出剤は、５−メチル−２−ヘキサノン（以下、ＭＩＡＫと略記する）からなり、金又はレニウムの塩素錯体水溶液から金又はレニウムの塩素錯体を抽出するために用いられる。
【００１３】
次に、図１を参照して、塩金又はレニウムの塩素錯体水溶液から金又はレニウムの塩素錯体を抽出し、金又はレニウムの粒子を回収する方法について、金の場合を例として説明する。
【００１４】
塩素錯体を形成し得る金属が金（Ａｕ）である場合には、まず、ＳＴＥＰ１で、金の塩素錯体である塩化金酸（ＨＡｕＣｌ４）の水溶液を調製する。塩化金酸の水溶液は、例えば、金を含む原材料を王水又は６〜６．５Ｎの塩酸に溶解することにより得ることができる。
【００１５】
次に、ＳＴＥＰ２で、前記塩化金酸の水溶液にＭＩＡＫを添加し、塩化金酸をＭＩＡＫに抽出する。このとき、ＭＩＡＫには塩化金酸以外の金属錯体等も抽出される。
【００１６】
そこで、ＳＴＥＰ３で、ＭＩＡＫに希酸を添加して洗浄し、塩化金酸以外の金属錯体等を除去する。この結果、ＭＩＡＫには実質的に塩化金酸のみが含有される状態となる。
【００１７】
次に、ＳＴＥＰ４で、ＭＩＡＫにアルカリ水溶液を添加して水酸化金（Ａｕ（ＯＨ）３）を生成させ、生成した水酸化金を水相に移動させる。次いで、ＳＴＥＰ５で、油水分離することにより、ＭＩＡＫから水酸化金を含むアルカリ水溶液を分離する。
【００１８】
次に、ＳＴＥＰ６で、分離されたアルカリ水溶液に塩酸を添加して、前記水酸化金を再び塩化金酸にする。そして、ＳＴＥＰ７で、塩化金酸水溶液に還元性化合物を添加し、塩化金酸を還元することにより金の粒子を沈殿させ、ＳＴＥＰ８で沈殿を濾別することにより金の粒子を回収する。
【００１９】
また、レニウムの場合については図示しないが、図１に示す金の場合と同様にしてレニウムの塩素錯体をＭＩＡＫにより抽出し、金の場合と同様の手順によりレニウムの粒子を回収することができる。
【００２０】
次に、本発明の実施例を示す。
【実施例】
【００２１】
〔実施例１〕
本実施例では、まず、金の濃度が１０００ｍｇ／リットルの市販の原子吸光分析用標準液（和光純薬工業株式会社製）を１０ミリリットルずつ複数の容器に分取した。次に、各容器に塩酸と水とを添加し、各容器の塩素イオン濃度が０〜１０モル／リットルの範囲でそれぞれ異なる濃度となり、全体の液量が５０ミリリットル（金濃度で５０ｍｇ/リットル）になるように調整して、金の塩素錯体として塩化金酸を含む複数の試料溶液を調製した。各試料溶液の塩素イオン濃度は、イオンクロマトグラフにより測定した。
【００２２】
次に、各試料溶液のそれぞれとＭＩＡＫとを同体積ずつ分取して密封容器に封入した。このとき、各試料溶液中の金の初期質量Ａを次式（１）により算出した。
【００２３】
試料溶液中の金の初期質量Ａ＝試料溶液の金濃度×試料溶液の体積    ・・・（１）
次に、前記密封容器を所定時間撹拌し、試料溶液中の塩化金酸をＭＩＡＫ中に抽出した後、試料溶液中の金の濃度を誘導結合プラズマ発光分析（ＩＣＰ−ＡＥＳ）により測定し、各試料溶液中の金の撹拌後の質量Ｂを次式（２）により算出した。
【００２４】
試料溶液中の金の撹拌後の質量Ｂ＝試料溶液の撹拌後の金濃度×試料溶液の体積
・・・（２）
そして、次式（３）により塩素イオン濃度に対する金の抽出率を算出した。
【００２５】
抽出率（％）＝｛（Ａ−Ｂ）／Ａ｝×１００          ・・・（３）
塩素イオン濃度に対する金の抽出率を図２に示す。
【００２６】
〔実施例２〕
本実施例では、金に代えてレニウムを用いた以外は、実施例１と全く同一にして、塩素イオン濃度に対するレニウムの抽出率を算出した。塩素イオン濃度に対するレニウムの抽出率を図３に示す。
【００２７】
図２〜３から、本実施形態のＭＩＡＫからなる金属抽出剤によれば、金又はレニウムの塩素錯体水溶液から金又はレニウムの塩素錯体を抽出することができることが明らかである。
【符号の説明】
【００２８】
符号なし。
【要約】
【課題】５−メチル−２−ヘキサノンの新たな用途を提供する。
【解決手段】金属用抽出剤は、５−メチル−２−ヘキサノンを有効成分とし、塩素錯体又はフッ素錯体を形成し得る金属の該塩素錯体水溶液又は該フッ素錯体水溶液から該金属の塩素錯体又はフッ素錯体を抽出するために用いられる。
【選択図】  図１【図１】
0006562433.tif 000002
【図２】
0006562433.tif 000003
【図３】
0006562433.tif 000004